(57)【特許請求の範囲】
【請求項１】
ウェブを折り畳んで折曲部を形成したウェブ折曲体を積層してなるウェットティッシュ重畳体であって、
ウェブ折曲体として、上下に交互に重なり合う第１ウェブ折曲体と第２ウェブ折曲体とを備え、
第１ウェブ折曲体は、第１のウェブの互いに異なる２箇所の位置に折曲部として第１折曲部と第２折曲部を形成しており、第１折曲部を介して互いに連接する第１上部片と第１中央部を形成するとともに、第２折曲部を介して第１中央部に連接する第１下部片を形成し、第１上部片の下面側に第１中央部の上面側を向かい合わせ、第１下部片の上面側に第１中央部の下面側を向かい合わせるとともに、第１ウェブ折曲体の平面視上、第１上部片の自由端と第１折曲部の間に第１下部片の自由端を位置させ、第１下部片の自由端と第２折曲部の間に第１上部片の自由端を位置させており、
第２ウェブ折曲体は、第２のウェブの互いに異なる３箇所の位置に、折曲部として、第１折曲部と第２折曲部とを形成するとともに第１折曲部と第２折曲部との間に中折曲部を形成しており、第１折曲部を介して互いに連接する第２上部片と第２中央部を形成し、第２折曲部を介して第２中央部に連接する第２下部片を形成し、中折曲部を介して連接して上下方向に重なりあう上側片と下側片とに第２中央部を区分形成しており、且つ、第２上部片の下面側に上側片の上面側を向かい合わせ、第２下部片の上面側に下側片の下面側を向かい合わせるとともに、第２ウェブ折曲体の平面視上、中折曲部を、第２上部片の自由端と第１折曲部との間、および、第２下部片の自由端と第２折曲部との間に位置させ、第２上部片のうち中折曲部よりも外側に位置する部分を上延出部となし、第２下部片のうち中折曲部よりも外側に位置する部分を下延出部となしており、
少なくとも一部の第１ウェブ折曲体と第２ウェブ折曲体は、該第１ウェブ折曲体に対して上側に隣接する第２ウェブ折曲体の下延出部の上面側を、第１上部片の下面側に対面させて第１のオーバーラップ部をなすように配置され、且つ、該第１ウェブ折曲体に対して下側に隣接する第２ウェブ折曲体の上延出部の下面側を、第１下部片の上面側に対面させて第２のオーバーラップ部をなすように配置されており、
第１のオーバーラップ部と第２のオーバーラップ部は、上下方向に交互に一列に並ぶように形成されており、
ウェットティッシュ重畳体の平面視上、第１のオーバーラップ部と第２のオーバーラップ部の外側に第２中央部が位置している、ことを特徴とするウェットティッシュ重畳体。
【請求項２】
ウェットティッシュ重畳体の平面視上、第１ウェブ折曲体の第１上部片の自由端は、該第１ウェブ折曲体の上側に隣接する第２ウェブ折曲体の下延出部の形成領域内に位置しており、第１ウェブ折曲体の第１下部片の自由端は、該第１ウェブ折曲体の下側に隣接する第２ウェブ折曲体の上延出部の形成領域内に位置している、請求項１に記載のウェットティッシュ重畳体。
【請求項３】
ウェットティッシュ重畳体の平面視上、第２ウェブ折曲体の下延出部および上延出部は、ウェットティッシュの重畳体の左右方向中央部に位置している、請求項１または２に記載のウェットティッシュ重畳体。
【請求項４】
ウェットティッシュ重畳体の平面視上、第１ウェブ折曲体の第１折曲部と第２折曲部は、第２ウェブ折曲体の第１折曲部と第２折曲部よりも、内側に位置している、請求項１から３のいずれかに記載のウェットティッシュ重畳体。
【請求項５】
請求項１から４のいずれかのウェットティッシュ重畳体を、容器または袋体に収納してなるウェットティッシュ包装体。
【発明の詳細な説明】
【技術分野】
【０００１】
本発明は、ウェットティッシュ重畳体およびウェットティッシュ包装体に関する。
【背景技術】
【０００２】
ウェブに薬液を含浸させたウェットティッシュは、汚れをふき取るために有用であるが、使用されるまで湿潤状態をできるだけ維持することが必要である。そのため、ウェットティッシュは折り畳まれ、その折り畳まれたウェットティッシュを複数枚上下に重ね合わせて重畳体となし、その重畳体の状態で容器または袋体といった収容体に収容される。
【０００３】
このようなウェットティッシュを収容体に収容したウェットティッシュ包装体からウェットティッシュをなすウェブを取り出す方式としては、いわゆるポップアップ方式が知られている。ポップアップ方式は、上側のウェブを取り出すときに、その下側で隣り合う次のウェブの一部を取出口より突出させるように構成した方式であり、ウェットティッシュをなすウェブの取り出しを容易にする。この方式では、上下に重なるウェットティッシュのウェブ同士が上側のウェブの一部上に下側のウェブの一部を配置させる構成（オーバーラップ部）を形成しながら積み重ねられて、ウェットティッシュ重畳体が形成される。
【０００４】
ポップアップ方式で採用されるウェットティッシュ重畳体には、具体的に、図５に示すような構成を有するもの（重畳体Ａ）が従前より知られている。重畳体Ａは、次のように形成されるものである。ウェットティッシュを構成するウェブ１００を３等分する位置１０１，１０１と、ウェブ１００を４等分する位置のうちのウェブ１００の中央からより離れた位置にある２つの位置１０２、１０２との間に折曲部１０３，１０３を形成し、ウェブ１００における左右両端から折曲部１０３、１０３までの部分を互いに反対面側に折り返して縦断面Ｚ状のウェブ折曲体１０４とする。そして、ウェブ折曲体１０４，１０４を、その中央部１０５，１０５が上下方向に重なりあうように位置あわせしつつ、ウェブ折曲体１０４の下部１０６の一部と、ウェブ折曲体１０４の上部１０７の一部とが重なり合うように、順次重ね合わせてオーバーラップ部１０９を形成する。このとき、上側のウェブ折曲体１０４の下部１０６の上面側の一部と、下側のウェブ折曲体１０４の上部１０７の下面側の一部とが向かい合わせにされる。
【０００５】
ここで、ウェットティッシュ包装体の製造時には、ウェットティッシュ重畳体の構造が崩れてウェブ同士がばらけないように、また、使用時には、ウェブ同士が取出口で離れるように、通常、ウェットティッシュ重畳体に対しては、上下方向に適度な押圧が加えられる。特に、ウェットティッシュでは、押圧の負荷を実施する前に、通常、薬液の含浸が実施されており、薬液をウェットティッシュ重畳体の全体に均一に含浸させるためにも、適度な押圧が加えられる。
【０００６】
ところが、上記したような従前の重畳体Ａは、オーバーラップ部１０９が形成されることで、重畳体Ａの両端部分よりも中央部分を嵩高に形成され、厚みが不均一なものとなる。このため、そのような重畳体Ａに対して上下方向に押圧を加えようとしても、その全体に押圧を加えることが難しくなり、重畳体Ａを構成するウェブ全体に薬液をいきわたらせることができなくなるといった様々な問題を生じやすくなる。そこで、ウェットティッシュ重畳体に強い力で押圧することが考えられるが、その場合、ウェットティッシュ重畳体全体に押圧を加えることができて薬液がウェブ全体にいきわたるようになるものの、今度は、ウェットティッシュ重畳体の中央部分でウェブ同士の絡みが強まりすぎることとなり、使用時にウェブ同士が取出口で離れにくくなってしまう。
【０００７】
そこで、特許文献１，２には、図６に示すようなウェットティッシュ重畳体（重畳体Ｂ）が提案されている。重畳体Ｂは、ウェブ折曲体１１４を積層して形成される。ウェブ折曲体１１４は、折曲部１０３，１０３の形成位置を変更した以外は積層体Ａを構成するウェブ折曲体１０４と同様にウェブ１００を折り曲げて折曲部１１３，１１３を形成することで調製される。ウェブ折曲体１１４を形成するにあたり、折曲部１１３，１１３の形成位置は、上部１１７の自由端側が折曲部１１３を越えて延びて延出部１１８を形成するように設定される。この重畳体Ｂでは、互いに左右逆向きに配置されたウェブ折曲体１１４（１１４ａ、１１４ｂ）を交互に重ね合わせて、オーバーラップ部１１９ａ、１１９ｂが形成されている。オーバーラップ部１１９ａ、１１９ｂは、ウェブ折曲体１１４ａの中央部１１５ａと、その下側で隣り合うウェブ折曲体１１４ｂの上部１１７ｂの延出部１１８とが重なり合い、また、ウェブ折曲体１１４ｂの中央部１１５ｂと、その下側で隣り合うウェブ折曲体１１４ａの上部１１７ａの延出部１１８とが重なり合うことで、それぞれ形成される。
【０００８】
このように特許文献１，２によれば、ウェブ折曲体１１４が積層されることで、オーバーラップ部１１９ａ、１１９ｂが形成されていることとなる。このとき、このオーバーラップ部分１１９ａ、１１９ｂが、ウェットティッシュ重畳体Ｂの中央位置（位置Ｍ）からずれた位置に形成されるため、その重畳体Ｂにおける中央部分の嵩高化が抑制される。
【先行技術文献】
【特許文献】
【０００９】
【特許文献１】特開平７−２１３４５３号公報
【特許文献２】特開平８−８９４３９号公報
【発明の概要】
【発明が解決しようとする課題】
【００１０】
ところで、ウェットティッシュ包装体において、上側のウェットティッシュをなすウェブを収容体の取出口から取り出すときに、下側のウェットティッシュをなすウェブのうちオーバーラップ部を構成する部分が、上側のウェブに絡み合ってこれに追従して移動する。そうして、下側のウェブは、上側のウェブに引きずられるように取出口まで移動する。上側のウェブが取出口から引き出されると、下側のウェブも取出口から部分的に収容体の外側に引き出される。このとき、下側のウェブは、取出口から一部がある程度外側に引き出された状態で上側ウェブから離れることが重要である。特に、このことが高い再現性を有して実現されることが重要である。それには、ウェブ同士の絡み合いの程度が適度であるとともに、上側のウェブを取り出す動作を実施するたびにオーバーラップ部でのウェブ同士の絡み合いの程度が変化するということが生じにくいことが重要である。
【００１１】
ところが、特許文献１，２では、ウェットティッシュ包装体において、オーバーラップ部が中央部からずれた位置に形成されているのみならず、最上位置にあるウェブ折曲体とその下側で隣り合うウェブ折曲体の間に形成されるオーバーラップ部についてみた場合に、上側のウェットティッシュを取り出すごとに、ウェットティッシュ包装体の平面視上、交互に異なる位置にオーバーラップ部が出現する。すると、上側のウェットティッシュを取り出す際のオーバーラップ部の動きが多様化して、オーバーラップ部でのウェブ同士の絡み合いの程度にぶれが生じやすくなる。このため、オーバーラップ部以外の部分でもウェブ同士に絡み合いを生じやすくなってウェブ同士の絡み合いの程度が強くなりすぎ、下側のウェブが、取出口から一部がある程度引き出された状態で上側のウェブから離間せずに一緒に取り出されてしまう虞も生じる。また、特許文献１，２のウェットティッシュ包装体では、オーバーラップ部を構成する上下のウェブ同士の重なり合う領域の面積が大きくなりやすく、このことも、上側のウェブと下側のウェブとの絡み合いを強めて上側のウェブを取り出す際に下側のウェブも一緒に取り出される虞を大きくする。
【００１２】
本発明は、上記問題点に鑑み、中央部分の嵩高化を抑制するとともに、オーバーラップ部でのウェブ同士の絡み合いの程度を適度に保つことができるようなウェットティッシュ重畳体およびウェットティッシュ包装体を提供することを目的とする。
【課題を解決するための手段】
【００１３】
本発明は、（１）ウェブを折り畳んで折曲部を形成したウェブ折曲体を積層してなるウェットティッシュ重畳体であって、
ウェブ折曲体として、上下に交互に重なり合う第１ウェブ折曲体と第２ウェブ折曲体とを備え、
第１ウェブ折曲体は、第１のウェブの互いに異なる２箇所の位置に折曲部として第１折曲部と第２折曲部を形成しており、第１折曲部を介して互いに連接する第１上部片と第１中央部を形成するとともに、第２折曲部を介して第１中央部に連接する第１下部片を形成し、第１上部片の下面側に第１中央部の上面側を向かい合わせ、第１下部片の上面側に第１中央部の下面側を向かい合わせるとともに、第１ウェブ折曲体の平面視上、第１上部片の自由端と第１折曲部の間に第１下部片の自由端を位置させ、第１下部片の自由端と第２折曲部の間に第１上部片の自由端を位置させており、
第２ウェブ折曲体は、第２のウェブの互いに異なる３箇所の位置に、折曲部として、第１折曲部と第２折曲部とを形成するとともに第１折曲部と第２折曲部との間に中折曲部を形成しており、第１折曲部を介して互いに連接する第２上部片と第２中央部を形成し、第２折曲部を介して第２中央部に連接する第２下部片を形成し、中折曲部を介して連接して上下方向に重なりあう上側片と下側片とに第２中央部を区分形成しており、且つ、第２上部片の下面側に上側片の上面側を向かい合わせ、第２下部片の上面側に下側片の下面側を向かい合わせるとともに、第２ウェブ折曲体の平面視上、中折曲部を、第２上部片の自由端と第１折曲部との間、および、第２下部片の自由端と第２折曲部との間に位置させ、第２上部片のうち中折曲部よりも外側に位置する部分を上延出部となし、第２下部片のうち中折曲部よりも外側に位置する部分を下延出部となしており、
少なくとも一部の第１ウェブ折曲体と第２ウェブ折曲体は、該第１ウェブ折曲体に対して上側に隣接する第２ウェブ折曲体の下延出部の上面側を、第１上部片の下面側に対面させて第１のオーバーラップ部をなすように配置され、且つ、該第１ウェブ折曲体に対して下側に隣接する第２ウェブ折曲体の上延出部の下面側を、第１下部片の上面側に対面させて第２のオーバーラップ部をなすように配置されており、
第１のオーバーラップ部と第２のオーバーラップ部は、上下方向に交互に一列に並ぶように形成されており、
ウェットティッシュ重畳体の平面視上、第１のオーバーラップ部と第２のオーバーラップ部の外側に第２中央部が位置している、ことを特徴とするウェットティッシュ重畳体、
（２）ウェットティッシュ重畳体の平面視上、第１ウェブ折曲体の第１上部片の自由端は、該第１ウェブ折曲体の上側に隣接する第２ウェブ折曲体の下延出部の形成領域内に位置しており、第１ウェブ折曲体の第１下部片の自由端は、該第１ウェブ折曲体の下側に隣接する第２ウェブ折曲体の上延出部の形成領域内に位置している、上記（１）に記載のウェットティッシュ重畳体、
（３）ウェットティッシュ重畳体の平面視上、第２ウェブ折曲体の下延出部および上延出部は、ウェットティッシュの重畳体の左右方向中央に位置している、上記（１）または（２）に記載のウェットティッシュ重畳体、
（４）ウェットティッシュ重畳体の平面視上、第１ウェブ折曲体の第１折曲部と第２折曲部は、第２ウェブ折曲体の第１折曲部と第２折曲部よりも、内側に位置している、上記（１）から（３）のいずれかに記載のウェットティッシュ重畳体、
（５）上記（１）から（４）のいずれかのウェットティッシュ重畳体を、容器または袋体に収納してなるウェットティッシュ包装体、を要旨とする。
【発明の効果】
【００１４】
本発明によれば、互いに対向して重なり合う下延出部と第１上部片の一部分とでオーバーラップ部が形成され、さらに上延出部と第１下部片の一部分とでもオーバーラップ部が形成されることとなり、中央部分の嵩高化を抑制するとともに、オーバーラップ部でのウェブ同士の絡み合いの程度を適度に保つことができるようなウェットティッシュ重畳体およびウェットティッシュ包装体を得ることができる。
【図面の簡単な説明】
【００１５】
【図１】本発明のウェットティッシュ重畳体の１実施例を説明するための縦断面模式図である。
【図２】図２Ａは、第１ウェブ折曲体を構成する第１のウェブにおいて折曲部（第１折曲部と第２折曲部）の形成を予定された位置の１実施例を説明するための概略平面図である。図２Ｂは、第１のウェブを折り曲げて折曲部を形成した状態を模式的に説明するための概略斜視模式図である。図２Ｃは、第１のウェブを折り曲げて折曲部を形成した状態を模式的に説明するための概略平面模式図である。
【図３】図３Ａは、第２ウェブ折曲体を構成する第２のウェブにおいて折曲部（第１折曲部、第２折曲部および中折曲部）の形成を予定された位置の１実施例を説明するための概略平面図である。図３Ｂは、第２のウェブを折り曲げて折曲部を形成した状態を模式的に説明するための概略斜視模式図である。図３Ｃは、第２のウェブを折り曲げて折曲部を形成した状態を模式的に説明するための概略平面模式図である。
【図４】本発明のウェットティッシュ重畳体を包装体内に収めたウェットティッシュ包装体の１実施例を説明するための縦断面模式図である。
【図５】従前のウェットティッシュ重畳体である重畳体Ａを説明するための縦断面模式図である。
【図６】従前のウェットティッシュ重畳体である重畳体Ｂを説明するための縦断面模式図である。
【発明を実施するための形態】
【００１６】
［ウェットティッシュ重畳体１］
本発明のウェットティッシュ重畳体１は、図１に示すように、折曲部４を有するウェブ折曲体２を積層してなるものである。ウェットティッシュ重畳体１には、ウェブ折曲体２として、上下に交互に重なり合う第１ウェブ折曲体２ａと第２ウェブ折曲体２ｂとが備えられる。なお、ウェットティッシュ重畳体１において、上下方向は、ウェットティッシュ重畳体１の厚み方向（両矢印Ｙ）であり、左右方向は、ウェットティッシュ重畳体１の縦断面に平行な平面を想定した場合にその平面内で両矢印Ｙに対して直交する方向（両矢印Ｘ）を示す。
【００１７】
（ウェブ折曲体２）
ウェブ折曲体２は、ウェットティッシュを構成するウェブ３を折り畳んで折曲部４を形成してなるものである。ウェブ３は、紙や不織布など、薬液を含浸可能な薄シート材から適宜調製される。ウェブ３の形状は、適宜選択可能であるが、ウェブ３としては、図２Ａ，３Ａに示すように矩形状に形成されたものが好ましく使用される。なお、薬液としては、水やアルコールなど適宜選択可能である。薬液のウェブ３への含浸は、ウェットティッシュ重畳体１の調製前後いずれでもよいが、通常、ウェットティッシュ重畳体１調製後にウェットティッシュ重畳体１対して薬液を含浸させることで実施される。
【００１８】
第１ウェブ折曲体２ａ、第２ウェブ折曲体２ｂは、それぞれ第１のウェブ３ａ、第２のウェブ３ｂから形成される。第１のウェブ３ａと第２のウェブ３ｂは互いに同種の材質で構成されてもよいし、異なる材質のもので構成されていてもよい。
【００１９】
（第１ウェブ折曲体２ａの構造）
第１ウェブ折曲体２ａは、第１上部片５と第１中央部６と第１下部片７とを有して構成される。第１ウェブ折曲体２ａは、第１のウェブ３ａの互いに異なる２箇所の位置、具体的に図１の例では第１のウェブ３ａの左右方向一方端１８からの距離（第１のウェブ３ａ面に沿った距離）を互いに異にする２箇所の位置（図２Ａ中、位置Ｓａ１、Ｓａ２）に、折曲部４として第１折曲部４ａ１と第２折曲部４ａ２を形成している。第１ウェブ折曲体２ａは、第１折曲部４ａ１を介して互いに連接する第１上部片５と第１中央部６を形成しており、第２折曲部４ａ２を介して第１中央部６に連接する第１下部片７を形成している。
【００２０】
第１ウェブ折曲体２ａ１では、第１上部片５の下面側に第１中央部６の上面側が向かい合わされており、第１下部片７の上面側に第１中央部６の下面側が向かい合わされている。また、図２Ｂ，Ｃに示すように、第１ウェブ折曲体２ａの平面視上、第１上部片５の自由端１６と第１折曲部４ａ１の間に第１下部片７の自由端１７が位置し、第１下部片７の自由端１７と第２折曲部４ａ２の間に第１上部片５の自由端１６が位置している。
【００２１】
（第１ウェブ折曲体２ａの形成）
第１ウェブ折曲体２ａは次のように形成可能である。第１のウェブ３ａにおいて、その左右方向一方端１８から他方端１９に向かって互いに位置を異にする２箇所（図２Ａ中、位置Ｓａ１、Ｓａ２）を選択する。図２Ａでは、一方端１８からの距離がＬａ１、Ｌａ２となる位置に、それぞれ位置Ｓａ１，Ｓａ２をとる。位置Ｓａ１，Ｓａ２は、第１のウェブ３ａを３等分する３等分線を想定した場合に３等分線を形成されるべき位置Ｑ１、Ｑ２と、第１のウェブを４等分する４等分線を想定した場合に４等分線を形成されるべき位置Ｐ１，Ｐ２，Ｐ３のうちの中央からより離れた位置にある２つの４等分線の位置Ｐ１，Ｐ３との間の領域にある所定位置として選択される。位置Ｓ１は、位置Ｑ１と位置Ｐ１の間の領域（Ｒａ１）に選択され、位置Ｓ２は、位置Ｑ２と位置Ｐ３の間の領域（Ｒａ２）に選択される。
【００２２】
次に、第１のウェブ３ａのうち、一方端１８と位置Ｓａ１との間の部分２０と、他方端１９と位置Ｓａ２との間の部分２２とを、位置Ｓａ１と位置Ｓａ２の間の部分２１に向けて折り返して重ね合わせる（図２Ｂ、２Ｃ）。部分２０，２２は、互いに第１のウェブ３ａの反対面側に折り返される。このとき、位置Ｓ１、Ｓ２にそれぞれ第１折曲部４ａ１、第２折曲部４ａ２が形成される。こうして、第１ウェブ折曲体２ａが調製される。
【００２３】
（第２ウェブ折曲体２ｂの構造）
第２ウェブ折曲体２ｂは、第２上部片８と第２中央部９と第２下部片１０とを有して構成される。第２ウェブ折曲体２ｂは、第２のウェブ３ｂの互いに異なる３箇所の位置に、具体的に図１の例では第２のウェブ３ｂの左右方向一方端２５からの距離（第２のウェブ３ｂ面に沿った距離）を互いに異にする３箇所の位置（図３Ａ中、位置Ｓｂ１、Ｓｂ２、Ｓｂ３）に、折曲部４として、第１折曲部４ｂ１と第２折曲部４ｂ２とを形成するとともに、第２のウェブ３ｂ面に沿ってみた場合に第１折曲部４ｂ１と第２折曲部４ｂ２との間の所定位置に中折曲部４ｂ３を形成している。第２ウェブ折曲体２ｂは、第１折曲部４ｂ１を介して互いに連接する第２上部片８と第２中央部９を形成し、第２折曲部４ｂ２を介して第２中央部９に連接する第２下部片１０を形成している。また、第２ウェブ折曲体２ｂでは、第２中央部９が、中折曲部４ｂ３を介して連接して上下方向に重なりあう上側片１４と下側片１５とに区分されている。
【００２４】
さらに、第２ウェブ折曲体２ｂでは、第２上部片８の下面側に上側片１４の上面側が向かい合わされており、第２下部片１０の上面側に下側片１５の下面側を向かい合わされている。図１や図３Ｂ、３Ｃに示すように、第２ウェブ折曲体２ｂの平面視上、中折曲部４ｂ３は、第２上部片８の自由端２３と第１折曲部４ｂ１との間、および、第２下部片１０の自由端２４と第２折曲部４ｂ２との間に位置している。そして、第２上部片８のうち中折曲部４ｂ２よりも外側（左右方向外側）に位置する部分を上延出部１１となし、第２下部片１０のうち中折曲部４ｂ２よりも外側に位置する部分を下延出部１２となしている。
【００２５】
（第２ウェブ折曲体２ｂの形成）
第２ウェブ折曲体２ｂは次のように形成可能である。第２のウェブ３ｂにおいて、その左右方向一方端２５から他方端２６に向かって互いに位置を異にする３箇所（図３Ａ中、位置Ｓｂ１、Ｓｂ２、Ｓｂ３）を選択する。図３Ａでは、端２５からの距離がＬｂ１、Ｌｂ２、Ｌｂ３となる位置に、それぞれ位置Ｓｂ１，Ｓｂ２，Ｓｂ３をとる。位置Ｓｂ１，Ｓｂ２については、第２のウェブを４等分する４等分線を想定した場合に４等分線を形成されるべき位置Ｐ１，Ｐ２，Ｐ３のうち中央にある位置Ｐ２と、中央からより離れた位置にある２つの４等分線の位置Ｐ１，Ｐ３との間の領域にある所定位置として選択される。位置Ｓｂ１は、位置Ｐ１と位置Ｐ２の間の領域に選択され、位置Ｓｂ２は、位置Ｐ２と位置Ｐ３の間の領域に選択される。位置Ｓｂ３は、位置Ｓｂ１と位置Ｓｂ２の間の位置として選択され、図３Ａに示す例では第２のウェブ３ｂの中央の位置に選択され、位置Ｐ２に重なっている。
【００２６】
次に、位置Ｓｂ１、Ｓｂ２、Ｓｂ３のうち、第２のウェブ３ｂの左右方向一方端２５に近い位置から順に、第２のウェブ３ｂのうちの他方端２６側を下側に、第２のウェブ３ｂを折り返して蛇腹状（あるいは、縦断面Ｗ字状）とする（図３Ｂ、３Ｃ）。このとき、位置Ｓｂ１、Ｓｂ２、Ｓｂ３のそれぞれの位置に、折曲部（第１折曲部４ｂ１、第２折曲部４ｂ２、中折曲部４ｂ３）が形成される。そして、第２のウェブ３ｂのうち位置Ｓｂ１、Ｓｂ２、Ｓｂ３で区画される部分２７、２８、２９、３０について、部分２７が第２上部片８、部分２８，２９が第２中央部９、部分３０が第２下部片１０をなす。こうして、第２ウェブ折曲体２ｂが調製される。
【００２７】
［ウェットティッシュ重畳体１の重畳構造］
ウェットティッシュ重畳体１は、第１ウェブ折曲体２ａと第２ウェブ折曲体２ｂを交互に重ね合わせて重畳構造を形成されている。このとき、ウェットティッシュ重畳体１では、下延出部１２の上面側と第１上部片５の下面側とが対向して下延出部１２と第１上部片５の一部とが重なりあい、上延出部１１の下面側と第１下部片７の上面側とが対向して上延出部１１と第１下部片７の一部とが重なりあう。そして、下延出部１２と第１上部片５の一部とが重なりあう部分と、上延出部１１と第１下部片７の一部とが重なりあう部分が、それぞれオーバーラップ部１３（第１オーバーラップ部１３ａ、第２オーバーラップ部１３ｂ）をなしている。また、この重畳構造では、上下方向について、第１ウェブ折曲体２ａは、第１ウェブ折曲体２ｂに対して上側に隣接する第２ウェブ折曲体２ｂの下延出部１２を、第１上部片５と第１中央部６の間に位置させ、その第１ウェブ折曲体２ａに対して下側に隣接する第２ウェブ折曲体２ｂの上延出部１１を、第１下部片７と第１中央部６の間に位置させている。
【００２８】
ウェットティッシュ重畳体１では、その平面視上、第１ウェブ折曲体２ａの第１上部片５の自由端１６が、その第１ウェブ折曲体２ａの上側に隣接する第２ウェブ折曲体２ｂの下延出部１２の形成領域内（基端を含む）に位置していることが好ましい。また、第１ウェブ折曲体２ａの第１下部片７の自由端１７が、その第１ウェブ折曲体２ａの下側に隣接する第２ウェブ折曲体２ｂの上延出部１１の形成領域内（基端を含む）に位置していることが好ましい（図１）。この場合、オーバーラップ部１３の形成部分が過剰に大きくなる虞が効果的に抑制される。
【００２９】
ウェットティッシュ重畳体１の厚みの均一性をより向上させる観点では、ウェットティッシュ重畳体１は、その平面視上、第１ウェブ折曲体２ａの第１上部片５の自由端１６を、その第１ウェブ折曲体２ａの上側に隣接する第２ウェブ折曲体２ｂの下延出部１２の基端位置とすることが好ましい。また、第１ウェブ折曲体２ａの第１下部片７の自由端１７を、その第１ウェブ折曲体２ａの下側に隣接する第２ウェブ折曲体２ｂの上延出部１１の基端位置とすることが好ましい。
【００３０】
ウェットティッシュ重畳体１では、図１のように、その平面視上、第２ウェブ折曲体２ｂの下延出部１２および上延出部１１がウェットティッシュ重畳体１の左右方向中央に位置しているように第２ウェブ折曲体２ｂが重ね合わせられていることが好ましい。この場合、オーバーラップ部１３をウェットティッシュ重畳体１の左右方向にみておおよそ中央位置に形成することが、より容易となる。なお、図１中、ウェットティッシュ重畳体１の中央位置は、符号Ｎで示す。
【００３１】
ウェットティッシュ重畳体１では、その平面視上、第１ウェブ折曲体２ａの第１折曲部４ａ１についての中央位置Ｎからの離間距離は、第２ウェブ折曲体２ｂの第１折曲部４ａと第２折曲部４ｂについての中央位置Ｎからの離間距離と同じであってよく、このことは第１ウェブ折曲体２ａの第２折曲部４ａ２についても同様であるが、第１ウェブ折曲体２ａの第１折曲部４ａ１と第２折曲部４ａ２は、第２ウェブ折曲体２ｂの第１折曲部４ａと第２折曲部４ｂよりも内側に位置している（中央位置Ｎに近い）ことが好ましい。ここに、ウェットティッシュ重畳体１において、折曲部４は、それ以外の部分に比べて硬さの強い部分となっていることが多く、硬さの強い部分が特定箇所に集中してしまうと、部分的に硬い部分が生じてしまう虞がある。この点、上記のように第１ウェブ折曲体２ａの第１折曲部４ａ１と第２折曲部４ａ２が第２ウェブ折曲体２ｂの第１折曲部４ａと第２折曲部４ｂよりも内側に位置している場合には、そのような折曲部４の位置が互いにずれることとなり、ウェットティッシュ重畳体１において硬さの強い部分が左右両端縁に集中してしまうことを抑制することができる。
【００３２】
［ウェットティッシュ重畳体１の調製］
ウェットティッシュ重畳体１は次のように調製される。複数の第１ウェブ折曲体２ａを、上下に所定間隔をあけて並べて配置するとともに、ウェットティッシュ重畳体１の左右方向に、互いに交互に逆むきに反転した状態として、各第１ウェブ折曲体２ａを、左向第１ウェブ折曲体２ａ１と右向第１ウェブ折曲体２ａ２となす。このとき、左向、右向は、図１の紙面に向かって重畳体１を正面視した場合の第１折曲部４ａ１の外面先端の向き（突出向き）を基準とする。なお、第１ウェブ折曲体２ａについて左向、右向を付して区分したのは、図１では第１ウェブ折曲体２ａを互いに反転配置させていることを明らかにするという便宜上の理由によるものである。後述の第２ウェブ折曲体２ｂについて左向、右向を付したのも同様である。
【００３３】
左向第１ウェブ折曲体２ａ１と右向第１ウェブ折曲体２ａ２の間にあって右向第１ウェブ折曲体２ａ２に対して上側と下側の位置に第２ウェブ折曲体２ｂを隣接配置する。このとき、上側と下側に位置する第２ウェブ折曲体２ｂは、ウェットティッシュ重畳体１の左右方向に、互いに逆むきになるように反転させた状態とされつつ、上下方向にずれた位置に配置され、それぞれ左向第２ウェブ折曲体２ｂ１と右向第２ウェブ折曲体２ｂ２をなす。このとき、左向、右向は、図１の紙面に向かって重畳体１を正面視した場合の第１折曲部４ｂ１の外面先端の向きを基準とする。
【００３４】
右向第１ウェブ折曲体２ａ２に対して上側に隣接させる左向第２ウェブ折曲体２ｂ１は、その下延出部１２を、左向第１ウェブ折曲体２ａ２の第１上部片５と第１中央部６の間に介在させて配置される。左向第２ウェブ折曲体２ｂ１は、その下延出部１２の上面に、第１上部片５の下面を対向させるように配置されることになる。
【００３５】
右向第１ウェブ折曲体２ａ２に対して下側に隣接させる右向第２ウェブ折曲体２ｂ２は、その上延出部１１を、右向第１ウェブ折曲体２ａ２の第１下部片７と第１中央部６の間に介在させて配置される。右向第２ウェブ折曲体２ｂ２は、その上延出部１１の下面に、第１下部片７の上面を対向させるように配置されることになる。
【００３６】
左向第２ウェブ折曲体２ｂ１の上側には、左向第１ウェブ折曲体２ａ１が隣接配置される。左向第１ウェブ折曲体２ａ１は、左向第２ウェブ折曲体２ｂ１の上延出部１１の下面に、第１下部片７の上面を対向させるように配置される。
【００３７】
右向第２ウェブ折曲体２ｂ２の下側には、左向第１ウェブ折曲体２ａ１が隣接配置される。左向第１ウェブ折曲体２ａ１は、左向第２ウェブ折曲体２ｂ１の下延出部１２の上面に、第１上部片５の下面を対向させるように配置される。
【００３８】
こうして、図１に示すように、上層から下層に向かって、第１ウェブ折曲体２ａ（２ａ１）、第２ウェブ折曲体２ｂ（２ｂ１）、第１ウェブ折曲体２ａ（２ｂ２）、第２ウェブ折曲体２ｂ（２ｂ２）の順に積層構造が形成され、積層しようとするウェブの枚数に応じてさらに下層側（あるいは上層側）に順次積層して、ウェットティッシュ重畳体１が調製される。なお、ウェットティッシュ重畳体１の最上位、最下位にあるウェブ折曲体２は、第１ウェブ折曲体２ａ１、２ａ２、第２ウェブ折曲体２ｂ１、２ｂ２のいずれであってもよい。なお、最上位、最下位にあるウェブ折曲体２については、それぞれ上側、下側に隣接するウェブ折曲体２を積層させる構成の存在が不要である。
【００３９】
［ウェットティッシュ重畳体１の機能］
ウェットティッシュ重畳体１では、その平面視上、オーバーラップ部１３の存在している部分（図１中、部分３１）の周囲の部分には、第２ウェブ折曲体２ｂの第２中央部９が配置されている。このとき、ウェットティッシュ重畳体１の平面視上、部分３１の端に第２ウェブ２ｂの中折曲部４ｂ３が位置することもありうる。すると、ウェブ折曲体４同士が重なりオーバーラップ部１３が形成されて積層数の増加が生じても、そのように部分３１の周囲に第２中央部９の存在する部分があることで、積層数の増加が部分３１の周囲の部分よりも部分３１でより大きく生じてしまうことにならず、ウェットティッシュ重畳体１の部分３１で他の周囲の部分よりも大きく嵩高になってしまう虞が抑制される。すなわち、図１の例に示すようにオーバーラップ部１３がウェットティッシュ重畳体１の中央部分に形成されていたとしても、ウェットティッシュ重畳体１の中央部分で嵩高化してしまう虞が抑制される。したがって、ウェットティッシュ重畳体１をおおよそ厚みの均一なものとすることができ、後述するウェットティッシュ包装体４０を調製する際にウェットティッシュ重畳体１に押圧を均一に負荷することが容易となる。
【００４０】
ウェットティッシュ重畳体１では、オーバーラップ部１３がおおよそ上下方向に１列に並んで形成されている。すなわち、第１オーバーラップ部１３ａ、第２オーバーラップ部１３ｂが、交互に１列に並ぶ。これにより、ウェットティッシュ重畳体１を収容した後述するウェットティッシュ包装体４０からウェブ３を取り出すごとに、オーバーラップ部１３の位置が左右方向に大きく変わる虞が抑制され、ウェブ３同士の絡み合いの程度が強くなったり弱くなったりする虞も抑制され、ウェブ３同士の絡み合いの程度を適度な状態に保つことがより容易となる。また、ウェットティッシュ重畳体１では、第１オーバーラップ部１３ａ、第２オーバーラップ部１３ｂの大きさは第２ウェブ折曲体２ｂの位置を適宜変更することなどで適度な大きさに調整することができるので、第１オーバーラップ部１３ａ、第２オーバーラップ部１３ｂが大きくなりすぎてウェブ３同士の絡み合いが過剰に大きくなる虞も抑制される。
【００４１】
［ウェットティッシュ包装体４０］
ウェットティッシュ包装体４０は、図４に示すように、ウェットティッシュ重畳体１を収容体３２に収納してなる。収容体３２は、容器または袋体であり、ウェットティッシュ重畳体１を収容可能な形状を有するものである。収容体３２には、上面側に取出口３３が設けられている。
【００４２】
取出口３３からウェブ３に含浸される薬液の揮発を防止するために、収容体には、粘着フィルム（図示せず）などで取出口３３の上面が封止されていてもよい。粘着フィルムとしては、市販のシールなどを適宜使用することができる。
【００４３】
収容体３３の取出口を封止する場合、収容体３２に対して隙間なく粘着フィルムを貼り付けることが重要である。ところが、収容体３２が袋体である場合、袋体の柔軟性のため、収納されるウェットティッシュ重畳体１の外形状に大きな凹凸があると、その凹凸形状が袋体の形状に反映されてしまい、取出口３３に粘着フィルムを貼り付けようとしても、収容体の取出口に対して隙間なく粘着フィルムでシールすることが困難である。隙間なく粘着フィルムでシールすることは、ウェットティッシュという製品の特性上、極めて重要である。具体的に、その理由としては、ウェットティッシュは使用に供されるまではできる限り乾燥していない状態であることが重要であるという点と、ウェットティッシュは衛生上収容体の中に汚染物質が進入してウェブが汚染された状態となってはならないものであるという点等が、挙げられる。この点、本発明のウェットティッシュ重畳体１は、既述のような第１ウェブ折曲体２ａと第２ウェブ折曲体２ｂの重畳構造を有して、中央部分の嵩高化を抑制して凹凸の発生を抑制しているため、ウェットティッシュ重畳体１を収容した袋体に粘着フィルムを隙間なく貼り付けることが容易である。
【産業上の利用可能性】
【００４４】
本発明は、汚れ等をふき取るウェットティッシュの用途で有益である。
【符号の説明】
【００４５】
１    ウェットティッシュ重畳体
２    ウェブ折曲体
２ａ  第１ウェブ折曲体
２ａ１  左向第１ウェブ折曲体
２ａ２  右向第１ウェブ折曲体
２ｂ  第２ウェブ折曲体
２ｂ１  左向第２ウェブ折曲体
２ｂ２  右向第２ウェブ折曲体
３    ウェブ
３ａ  第１のウェブ
３ｂ  第２のウェブ
４    折曲部
４ａ１  第１折曲部
４ａ２  第２折曲部
４ｂ１  第１折曲部
４ｂ２  第２折曲部
４ｂ３  中折曲部
５    第１上部片
６    第１中央部
７    第１下部片
８    第２上部片
９    第２中央部
１０  第２下部片
１１  上延出部
１２  下延出部
１３  オーバーラップ部
１３ａ  第１オーバーラップ部
１３ｂ  第２オーバーラップ部
１４  上側片
１５  下側片
１６、１７  自由端
１８  一方端
１９  他方端
２０，２１，２２  第１のウェブにおける部分
２３，２４  自由端
２５  一方端
２６  他方端
２７．２８．２９．３０  第２のウェブにおける部分
３１  オーバーラップ部の存在する部分
３２  収容体
３３  取出口
１００  ウェブ
１０１，１０２  位置
１０３  折曲部
１０４  ウェブ折曲体
１０５  中央部
１０６  下部
１０７  上部
１０９  オーバーラップ部
１０３  折曲部
１１３  折曲部
１１４  ウェブ折曲体
１１５  中央部
１１６  下部
１１７  上部
１１８  延出部
１１９ａ、１１９ｂ  オーバーラップ部
【図１】
0005731809.tif 000002
【図２】
0005731809.tif 000003
【図３】
0005731809.tif 000004
【図４】
0005731809.tif 000005
【図５】
0005731809.tif 000006
【図６】
0005731809.tif 000007